(57)【要約】【課題】移動体パケット通信において通常使用されているプロトコルスタック及び信号方式を前提とし、少ないコストで、ネットワークに出来得る限り負担を掛けない無線区間性能測定システムを実現する。【解決手段】無線区間性能測定システム１は、確認応答型プロトコルを用いてパケット通信を行う移動体パケット通信システムの移動機４−１〜４とパケット中継交換機５間の有線回線１０１において通過パケットを観測し、該通過パケットのパケット属性データと通過時刻を取得し、該パケット属性データを移動機識別子毎に分類し、該分類されたパケット属性データに基づいて、上り確認応答パケットに対応する下りデータ転送パケットを検索し、該確認応答パケットと該データ転送パケットの各通過時刻からパケット往復旅程時間を求めることを特徴とする。【選択図】　　図１
2004096499.tif 000002
【特許請求の範囲】
【請求項１】
確認応答型プロトコルを用いてパケット通信を行う移動体パケット通信システムの移動機とネットワーク側装置間のパケット伝送区間において通過パケットを観測し、該通過パケットのパケット属性データと通過時刻を取得するパケット収集解析手段と、
前記パケット属性データと通過時刻を格納する収集パケットテーブルと、
前記収集パケットテーブルのパケット属性データを、各パケット属性データに含まれている移動機識別子毎に分類する移動機分類手段と、
前記分類されたパケット属性データを格納する移動機別パケットテーブルと、
前記移動機別パケットテーブルのパケット属性データに基づいて、上り確認応答パケットに対応する下りデータ転送パケットを検索し、該確認応答パケットと該データ転送パケットの各通過時刻からパケット往復旅程時間を求める往復旅程時間算出手段と、
前記パケット往復旅程時間を該当する前記パケット属性データとともに格納する往復旅程テーブルと、
を備えたことを特徴とする無線区間性能測定システム。
【請求項２】
前記往復旅程テーブルの往復旅程データを、前記パケット属性データに含まれている在圏ゾーン識別子毎に分類する第１のゾーン分類手段と、
この分類された往復旅程データを格納するゾーン別往復旅程テーブルと、
前記ゾーン別往復旅程テーブルの往復旅程データに基づいて、前記移動体パケット通信システムのゾーン毎に前記パケット往復旅程時間の統計データを算出する統計処理手段と、
前記統計データを格納するトラヒックテーブルと、
を備えたことを特徴とする請求項１に記載の無線区間性能測定システム。
【請求項３】
前記移動機分類手段は、同一の移動機に関して、ある前記パケット属性データに在圈ゾーン識別子が含まれている場合には、通過時刻順に継続する前記パケット属性データであって在圈ゾーン識別子が含まれていないパケット属性データ全てに対して該在圈ゾーン識別子と同じものを付与することを特徴とする請求項２に記載の無線区間性能測定システム。
【請求項４】
前記移動機別パケットテーブルのパケット属性データを、前記パケット属性データに含まれている在圏ゾーン識別子毎に分類する第２のゾーン分類手段と、
この分類されたパケット属性データを格納するゾーン別パケットテーブルと、
前記ゾーン別パケットテーブルのパケット属性データに基づいて、前記移動体パケット通信システムのゾーン毎にトラヒックデータを算出するトラヒック算出手段と、
前記トラヒックデータを格納するトラヒックテーブルと、
を備えたことを特徴とする請求項１に記載の無線区間性能測定システム。
【請求項５】
確認応答型プロトコルを用いてパケット通信を行う移動体パケット通信システムの移動機とネットワーク側装置間のパケット伝送区間において通過パケットを観測し、該通過パケットのパケット属性データと通過時刻を取得する過程と、
前記パケット属性データを、各パケット属性データに含まれている移動機識別子毎に分類する過程と、
前記分類されたパケット属性データに基づいて、上り確認応答パケットに対応する下りデータ転送パケットを検索し、該確認応答パケットと該データ転送パケットの各通過時刻からパケット往復旅程時間を求める過程と、
を含むことを特徴とする無線区間性能測定方法。
【発明の詳細な説明】
【０００１】
【発明の属する技術分野】
本発明は、移動体パケット通信システムにおける無線区間性能測定システムおよび無線区間性能測定方法に関するものである。
【０００２】
【従来の技術】
移動体パケット通信システムにおいて、基地局と移動機の間の無線区間における伝送では、電波干渉やフェージングに起因する通信品質の劣化に対して、転送パケットの内容を補償するため、例えばＡＲＱ（Ａｕｔｏｍａｔｉｃ　Ｒｅｐｅａｔ　ｒｅＱｕｅｓｔ）等の再送制御を行なっている。また、無線区間におけるパケット通信方式として、例えばスロットＡＬＯＨＡ等のランダムアクセス制御を用いている場合、移動機が所在するゾーンにおいて高トラヒックな状況時には、相当の上りランダムアクセス待ち時間が発生する。一般にランダムアクセス待ち時間の特性は、ゾーン内の移動機の同時在圏数及び各移動機のトラヒック特性に依存しており、ゾーンとしての特性把握が本質的であり望ましい。
【０００３】
移動体パケット通信における遅延時間は、上記した無線区間での遅延要因に起因する遅延時間が多くを占めている。無線区間での遅延要因と遅延時間の関係は、ある程度理論的に導出することは可能であるが、実環境では電波干渉メカニズムやユーザの利用特性自体が複雑である場合が多く、実際に測定して実態を把握するのが早道である。無線区間におけるネットワークの品質及び性能を測定する無線区間性能測定システムとしては、以下の（１），（２）のようなシステムが知られている。
（１）交換機等のネットワークエレメントに測定機能を配備し、該機能を利用する。
（２）交換機間の回線にハードウェア的に測定機を設け、或いは無線区間の電波を受信してパケットを収集、分析する。
【０００４】
【発明が解決しようとする課題】
しかし、上述した従来の無線区間性能測定システムでは、以下に示すような問題がある。
上記（１）のシステムでは、例えばコネクション数やパケット数のカウント等、ネットワークエレメント単体での通信処理に関係が深い項目の測定機能を実現することは比較的容易である。しかしながら、例えばパケットの遅延時間の計測では、特定のパケットを常にトレースし、タイマを作動して遅延時間を計測することになるが、この機能を実現することは難しい。また、交換機等のネットワークエレメントの機能の一部として測定機能を実現するので、測定機能を付加することによって例えば交換機の負荷が増大し、この結果、交換機本来の機能に性能低下等の影響を与えたり、或いは、交換機に測定機能の追加自体が困難なこともある。
【０００５】
上記（２）のシステムとしては、近年、プロトコルアナライザやプローブ等の製品として市販されている測定機器も多く、また測定データを分析する機能を付加したネットワークマネジメントシステム製品として供給される場合もある。しかしながら、それらの製品にはインターネット及びイントラネットにおいて汎用的に使われているプロトコルスタックでの各プロトコル階層の振舞いの検証機能や、おもに交換機やルータのデバッグ用途の信号フォーマットを検証する機能しか搭載されていない。このため、移動体通信に特有の通信プロトコルに対応し、かつ、エリアを意識した無線区間の品質及び性能の測定を行うことは難しい。
【０００６】
本来移動体通信は、移動機がサービスエリア内を時々刻々自由に移動することを前提としており、有線区間に測定器を備えてパケット単位の観測を行っても、どの移動機がどのゾーンに在圏し通信しているかを把握することは困難である。また、既製の市販製品では、特に遅延時間測定に関しては、ＴＣＰ／ＩＰにおける「Ｐｉｎｇ」や擬似ＨＴＴＰリクエストなどの試験パケットの発出による、いわゆるアクティブ測定に依存して測定する場合が多い。試験パケットによるアクティブ測定では、測定用のパケットを人為的に発生させることによって、測定対象のネットワーク状態を擾乱する可能性がある。一方、その擾乱の危険性を回避しようとすれば必然的に測定サンプルが少なくなるという問題が生じる。また、移動体通信においてアクティブ測定を実現するためには、測定用移動機を実際のエリアに配置することが必要不可欠であり、測定に要するコストが増大する。
上記のような理由から、（２）のシステムをそのまま利用して、移動体パケット通信における無線区間の品質及び性能を測定することは困難である。
【０００７】
本発明は、このような事情を考慮してなされたもので、その目的は、移動体パケット通信において通常使用されているプロトコルスタック及び信号方式を前提とし、少ないコストで、ネットワークに出来得る限り負担を掛けない無線区間性能測定システムおよび無線区間性能測定方法を提供することにある。
【０００８】
【課題を解決するための手段】
上記の課題を解決するために、請求項１に記載の無線区間性能測定システムは、確認応答型プロトコルを用いてパケット通信を行う移動体パケット通信システムの移動機とネットワーク側装置間のパケット伝送区間において通過パケットを観測し、該通過パケットのパケット属性データと通過時刻を取得するパケット収集解析手段と、前記パケット属性データと通過時刻を格納する収集パケットテーブルと、前記収集パケットテーブルのパケット属性データを、各パケット属性データに含まれている移動機識別子毎に分類する移動機分類手段と、前記分類されたパケット属性データを格納する移動機別パケットテーブルと、前記移動機別パケットテーブルのパケット属性データに基づいて、上り確認応答パケットに対応する下りデータ転送パケットを検索し、該確認応答パケットと該データ転送パケットの各通過時刻からパケット往復旅程時間を求める往復旅程時間算出手段と、前記パケット往復旅程時間を該当する前記パケット属性データとともに格納する往復旅程テーブルと、を備えたことを特徴としている。
【０００９】
請求項２に記載の無線区間性能測定システムにおいては、前記往復旅程テーブルの往復旅程データを、前記パケット属性データに含まれている在圏ゾーン識別子毎に分類する第１のゾーン分類手段と、この分類された往復旅程データを格納するゾーン別往復旅程テーブルと、前記ゾーン別往復旅程テーブルの往復旅程データに基づいて、前記移動体パケット通信システムのゾーン毎に前記パケット往復旅程時間の統計データを算出する統計処理手段と、前記統計データを格納するトラヒックテーブルと、を備えたことを特徴とする。
【００１０】
請求項３に記載の無線区間性能測定システムにおいては、前記移動機分類手段は、同一の移動機に関して、ある前記パケット属性データに在圈ゾーン識別子が含まれている場合には、通過時刻順に継続する前記パケット属性データであって在圈ゾーン識別子が含まれていないパケット属性データ全てに対して該在圈ゾーン識別子と同じものを付与することを特徴とする。
【００１１】
請求項４に記載の無線区間性能測定システムにおいては、前記移動機別パケットテーブルのパケット属性データを、前記パケット属性データに含まれている在圏ゾーン識別子毎に分類する第２のゾーン分類手段と、この分類されたパケット属性データを格納するゾーン別パケットテーブルと、前記ゾーン別パケットテーブルのパケット属性データに基づいて、前記移動体パケット通信システムのゾーン毎にトラヒックデータを算出するトラヒック算出手段と、前記トラヒックデータを格納するトラヒックテーブルと、を備えたことを特徴とする。
【００１２】
上記の課題を解決するために、請求項５に記載の無線区間性能測定方法は、確認応答型プロトコルを用いてパケット通信を行う移動体パケット通信システムの移動機とネットワーク側装置間のパケット伝送区間において通過パケットを観測し、該通過パケットのパケット属性データと通過時刻を取得する過程と、前記パケット属性データを、各パケット属性データに含まれている移動機識別子毎に分類する過程と、前記分類されたパケット属性データに基づいて、上り確認応答パケットに対応する下りデータ転送パケットを検索し、該確認応答パケットと該データ転送パケットの各通過時刻からパケット往復旅程時間を求める過程と、を含むことを特徴としている。
【００１３】
【発明の実施の形態】
以下、図面を参照し、本発明の一実施形態について説明する。
図１は、本発明の一実施形態による無線区間性能測定システム１を適用した移動体パケット通信システムの構成例を示すブロック図である。この図１において、無線基地局２−１はサービスゾーン（以下、単にゾーンと称する）３−１を有しており、自ゾーン３−１内に在圏する移動無線通信機（以下、単に移動機と称する）４−１との間で無線通信を行う。無線基地局２−２はゾーン３−２を有しており、自ゾーン３−２内に在圏する移動機４−２、４−３との間で無線通信を行う。無線基地局２−３ゾーン３−３を有しており、自ゾーン３−３内に在圏する移動機４−４との間で無線通信を行う。
【００１４】
各無線基地局２−１〜３は、パケット中継交換機５（ネットワーク側装置）と有線の通信回線（有線回線）１０１で接続されている。各無線基地局２−１〜３は、自ゾーン内に在圏する移動機から受信した上りパケットに、必要な網内情報を付与してパケット中継交換機５へ転送する。また、パケット中継交換機５から受信した下りパケットを網内情報を除去して自ゾーン内に在圏する移動機へ転送する。
【００１５】
図１に示すように本実施形態においては、無線基地局２−１〜３とパケット中継交換機５を接続する有線回線１０１に無線区間性能測定システム１を接続している。無線区間性能測定システム１は、有線回線１０１との該一箇所の接続点において、有線回線１０１上を流れる上り下り両方向のパケットをともに収集することができる。
【００１６】
図２は、図１の移動機４−１〜４とネットワーク側装置（この例ではパケット中継交換機５）とのパケットのやり取りの一例を示すシーケンスチャートである。パケット中継交換機５と移動機４−１〜４の間では、確認応答型プロトコルによりパケット通信が行われる。
【００１７】
図２に示すように、確認応答型プロトコルでは、送信側がデータ転送信号パケット（以下、データ転送パケットと称する）を送信し、このデータ転送パケットが受信側に到着すると、受信側は該受信したデータ転送パケットに対応する確認応答信号パケット（以下、確認応答パケットと称する）を送信元へ返送する。そして、送信側は該確認応答パケットの受信を以って該当するデータ転送信号パケットの送達を確認する。一方、データ転送パケットを送信後、一定期間を経過しても確認応答パケットが受信されない場合（図示せず）、送信側は再度、当該データ転送パケットを送信し、これにより送信データの欠落を補償するようにしている。
【００１８】
なお、本実施形態では説明の便宜上、１つの確認応答パケットでは１つのデータ転送パケットの送達確認が行われることとし、複数のデータ転送パケットの送達確認を１つの確認応答パケットで行う場合を含めないこととする。
【００１９】
次に、図１の無線区間性能測定システム１について説明する。図３，図４は、図１に示す無線区間性能測定システム１の構成の一部を示すブロック図である。図３には無線区間性能測定システム１のシステム構成のうち、パケットの往復旅程時間に関する測定機能に係る機能ブロックのみを示している。図４には無線区間性能測定システム１のシステム構成のうち、トラヒックに関する測定機能に係る機能ブロックのみを示している。図５〜図１０は、無線区間性能測定システム１が有する各種テーブル３１〜３６の構成例を示す図である。図１１，図１２は、無線区間性能測定システム１が行う測定処理の流れを示す第１，第２のフローチャートであって、図１１は図３に示す構成についてのものであり、図１２は図４に示す構成についてのものである。
【００２０】
図３及び図４に示す各装置２１〜２８は、パケット収集装置２１と同様にプロセッサ（ＣＰＵ）４１及びメモリ４２からなり、各装置２１〜２８の機能を実現するためのプログラムをプロセッサ４１が実行することによりその機能を実現させるものである。なお、各装置２１〜２８は、専用のハードウェアにより実現されるものであってもよい。
また、図３及び図４に示す各テーブル３１〜３６は、無線区間性能測定システム１の記憶装置（図示せず）に記憶されている。
【００２１】
初めに、図１１のフローチャートを参照して図３に示す構成の動作を説明する。
図１１において、先ず、パケット収集装置２１は、測定開始時刻になると、パケットの収集処理を開始し、有線回線１０１に接続されている回線インタフェース１１を介してパケットを収集し、この収集パケットを順次メモリ４２に蓄積する（ステップＳ１）。その後、測定終了時刻になると、あるいはメモリ４２が満杯になると、パケットの収集を終了する（ステップＳ２）。
【００２２】
次いで、パケット属性抽出装置２２は、パケット収集装置１２により収集された各収集パケットの内容を分析する。この分析により、各収集パケットに関するパケット属性情報として、通過時刻、パケット長、移動機識別子、上り下り別、データ転送パケットである場合に送信番号、確認応答パケットである場合に確認番号、在圈ゾーン識別子などを抽出する。そして、これら抽出したパケット属性データを、図５に示すように収集パケットテーブル３１に格納する（ステップＳ３）。
【００２３】
次いで、移動機分類装置２３は、収集パケットテーブル３１の各収集パケットのパケット属性データを移動機識別子毎に分類して、図６（ａ）〜（ｃ）に示すように該当する移動機別パケットテーブル３２に格納する（ステップＳ４）。ここで、同一の移動機に関して、あるパケット属性データに在圈ゾーン識別子が含まれている場合には、通過時刻順に継続するパケット属性データであって在圈ゾーン識別子が含まれていないパケット属性データ全てに対して該在圈ゾーン識別子と同じものを付与する。これは、全ての収集パケットについて在圈ゾーン識別子が抽出できなくても、移動体通信のユーザ位置の連続性、すなわち通信中のユーザ位置は刻一刻変わるが跳躍することはなく連続的に変化するという性質に基づいた処理である。これにより、一部のパケットについてしか在圏ゾーンが特定できなくても、移動機別に収集パケットのデータをグループ化して各移動機のパケット毎の送信時の在圈ゾーンを推定することが可能となる。
【００２４】
図５及び図６に示す例では、移動機識別子「０００２」のパケット属性データに関して、図５の収集パケットテーブル３１では通過時刻「２０００．１．１（日付）　１０：００：０１．７８９０（時刻）」のパケット属性データの在圈ゾーン識別子が不明となっている。そして、図６（ｂ）に示す移動機別パケットテーブル３２では、該パケット属性データ（２番目のデータ）に、同じ移動機識別子「０００２」の通過時刻「２０００．１．１（日付）　１０：００：００．５６７８（時刻）」のパケット属性データ（１番目のデータ）の在圈ゾーン識別子「ゾーンＡ」と同じものが付加されている。
【００２５】
次いで、往復旅程抽出装置２４は、各移動機４の移動機別パケットテーブル３２のパケット属性データに基づいて、先ず上りの確認応答パケットを抽出する。そして、該確認応答パケットの確認番号に対応する送信番号を持つ下りデータ転送パケットを検索する。この検索の結果、合致するものが存在すれば、当該上り確認応答パケットの到着時刻から検索された下りデータ転送パケットの到着時刻を減算して、当該移動機４についてのパケットの往復旅程時間を算出し、この往復旅程時間を図７に示すように往復旅程テーブル３３に格納する（ステップＳ５、Ｓ６）。これらステップＳ５、Ｓ６の処理を各移動機４について、上り確認応答パケット全てに対して行う（ステップＳ７）。
【００２６】
上記往復旅程時間は、無線基地局が無線区間（自ゾーン内）にデータ転送パケットを送出してから、該ゾーン内に在圏する移動機が該データ転送パケットを受信して確認応答パケットを返送し、該確認応答パケットが該無線基地局に到着するまでに要した時間に略等しく、特定の無線区間（特定の無線基地局のゾーン内）をパケットが往復するための所要時間を示す。
【００２７】
次いで、往復旅程用ゾーン分類装置２５は、往復旅程テーブル３３の往復旅程データを在圈ゾーン識別子毎に分類して、図８（ａ），（ｂ）に示すように該当するゾーン別往復旅程テーブル３４に格納する（ステップＳ８）。次いで、各往復旅程用ゾーントラヒック算出装置２６は、各ゾーン別往復旅程テーブル３４のデータのうち、測定期間に指定されている集計開始時刻から集計終了時刻までの間に含まれる下りデータ転送パケット通過時刻のデータに基づいて、往復旅程時間の平均値や分散等の統計データを算出する（ステップＳ９）。次いで、これら統計データを図１０に示すように時間帯指定ゾーン別トラヒックテーブル３５ヘ格納する（ステップＳ１０）。
【００２８】
次に、図１２のフローチャートを参照して図４に示す構成の動作を説明する。
先ず、上記図１１のステップＳ１〜Ｓ４の処理によって各収集パケットのパケット属性データが該当する移動機別パケットテーブル３２に格納される。
図１２において、パケット用ゾーン分類装置２７は、移動機別パケットテーブル３２のパケット属性データを該在圈ゾーン識別子別に分類して、図９（ａ），（ｂ）に示すように該当するゾーン別パケットテーブル３６ヘ格納する（ステップＳ２１）。
【００２９】
次いで、各パケット用ゾーントラヒック算出装置２８は、各ゾーン別パケットテーブル３６のデータのうち、測定期間に指定されている集計開始時刻から集計終了時刻までの間に含まれる通過時刻のデータに基づいて、各種トラヒックデータ（在圏移動機数，上り／下りパケット数，上り／下り転送データ量等）を算出する（ステップＳ２２）。例えば、異なる移動機識別子の数を計数することによって当該時間帯における移動機在圏数を求める。また、上り下り別々にパケット数を計数し、この計数値に各々のパケット長を積算することによって上り転送データ量及び下り転送データ量を求める。
次いで、これら測定データを図１０に示すように時間帯指定ゾーントラヒックテーブル３５ヘ格納する（ステップＳ２３）。
【００３０】
なお、本実施形態においては、前述したように説明の便宜上、１つの確認応答パケットでは１つのデータ転送パケットの送達確認が行われることとしたが、複数のデータ転送パケットの送達確認を１つの確認応答パケットで行う場合においても、往復旅程テーブル３３に格納する往復旅程データの抽出方法を変更すれば、本実施形態と同様に適用可能となる。例えば、確認応答型プロトコルとして一般的に知られているＴＣＰ（Ｔｒａｎｓｍｉｓｓｉｏｎ　Ｃｏｎｔｒｏｌ　Ｐｒｏｔｏｃｏｌ）について該往復旅程データの抽出方法を説明する。ＴＣＰでは１つのパケットで、データ送信と、該受信パケットの送達確認通知用を兼用している。このため、ＴＣＰヘッダ内の「シーケンス番号」が上述した実施形態における送信番号として利用可能であり、また「Ａｃｋｎｏｗｌｅｄｇｅｍｅｎｔ番号」が同様に確認番号として利用可能である。そして、上り確認応答パケットに該当する下りデータ転送パケットの検索の際には、先ず上り確認応答パケットの「Ａｃｋｎｏｗｌｅｄｇｅｍｅｎｔ番号」に対応する「シーケンス番号」を持つ下りデータ転送パケットのうち、最も大きい番号を持つもの、すなわち最も最新のものを選ぶようにする。これにより、往復旅程データを抽出することが可能である。
【００３１】
なお、上述した実施形態においては、無線区間性能測定システム１を有線回線１０１と一箇所で接続し、この一つの接続点でのみパケットを観測するようにしたが、無線区間性能測定システム１を有線回線１０１と二箇所以上の接続点において接続し、それぞれの接続点でパケットを観測するようにしてもよい。この場合には、各観測地点間の所要時間に応じてパケットの通過時間を補正することによって、各観測地点で収集したパケットを上述した実施形態と同様に処理することが可能である。また、有線区間に限らず、無線区間でもパケットの収集が可能であれば、同様に適用可能である。
【００３２】
以上、本発明の実施形態を図面を参照して詳述してきたが、具体的な構成はこの実施形態に限られるものではなく、本発明の要旨を逸脱しない範囲の設計変更等も含まれる。
【００３３】
【発明の効果】
以上説明したように、本発明によれば、移動機とネットワーク側装置間で授受される下り（ネットワーク側装置から移動機へ転送される）データ転送パケットの通過時刻と上り（移動機からネットワーク側装置へ転送される）確認応答パケットの通過時刻に基づいてパケット往復旅程時間が求められるので、該パケット往復旅程時間は無線区間を含むものとなる。これにより、移動体パケット通信において通常使用されているプロトコルスタック及び信号方式（例えば確認応答型プロトコルとして一般的なＴＣＰ）を前提とし、少ないコストで、ネットワークに出来得る限り負担を掛けずに無線区間の性能を測定することができる。また、複数の無線基地局が収容されるネットワークの上流にパケット観測地点を設ければ、複数ゾーンの測定が実施可能であり、効率よく測定を行うことができる。
【００３４】
また、請求項２に記載の発明によれば、移動体パケット通信システムのゾーン毎にパケット往復旅程時間の統計データを求めることができる。
さらに、請求項３に記載の発明によれば、パケット属性データに在圈ゾーン識別子が含まれていない場合でも、当該パケットが送信された時の移動機の在圈ゾーンを推定して無線区間の性能測定を行うことができる。
【００３５】
また、請求項４に記載の発明によれば、移動体パケット通信システムのゾーン毎にトラヒックデータを求めることができる。
【図面の簡単な説明】
【図１】本発明の一実施形態による無線区間性能測定システム１を適用した移動体パケット通信システムの構成例を示すブロック図である。
【図２】図１の移動機４−１〜４とネットワーク側との間の確認応答型プロトコルによるパケットのやり取りの一例を示すシーケンスチャートである。
【図３】図１に示す無線区間性能測定システム１の構成の一部を示すブロック図である。
【図４】図１に示す無線区間性能測定システム１の構成の一部を示すブロック図である。
【図５】収集パケットテーブル３１の構成例を示す図である。
【図６】移動機別パケットテーブル３２の構成例を示す図である。
【図７】往復旅程テーブル３３の構成例を示す図である。
【図８】ゾーン別往復旅程テーブル３４の構成例を示す図である。
【図９】ゾーン別パケットテーブル３６の構成例を示す図である。
【図１０】時間帯指定ゾーン別トラヒックテーブル３５の構成例を示す図である。
【図１１】図３に示す無線区間性能測定システム１の構成についての測定処理の流れを示すフローチャートである。
【図１２】図４に示す無線区間性能測定システム１の構成についての測定処理の流れを示すフローチャートである。
【符号の説明】
１…無線区間性能測定システム、２−１〜３…無線基地局、３−１〜３…サービスゾーン、４−１〜４…移動無線通信機（移動機）、５…パケット中継交換機、１１…回線インタフェース、２１…パケット収集装置、２２…パケット属性抽出装置、２３…移動機分類装置、２４…往復旅程抽出装置、２５…往復旅程用ゾーン分類装置、２６…往復旅程用ゾーントラヒック算出装置、２７…パケット用ゾーン分類装置、２８…パケット用ゾーントラヒック算出装置、３１…収集パケットテーブル、３２…移動機別パケットテーブル、３３…往復旅程テーブル、３４…ゾーン別往復旅程テーブル、３５…時間帯指定ゾーン別トラヒックテーブル、３６…ゾーン別パケットテーブル、１０１…有線の通信回線（有線回線）
【図１】
2004096499.tif 000003
【図２】
2004096499.tif 000004
【図３】
2004096499.tif 000005
【図４】
2004096499.tif 000006
【図５】
2004096499.tif 000007
【図６】
2004096499.tif 000008
【図７】
2004096499.tif 000009
【図８】
2004096499.tif 000010
【図９】
2004096499.tif 000011
【図１０】
2004096499.tif 000012
【図１１】
2004096499.tif 000013
【図１２】
2004096499.tif 000014